(57)【要約】【課題】静電気等のノイズ防止のために別途シールドを固定する必要がなく、かつ、従来と異なり導電性クリームなどを塗らなくても人体とのインピーダンスを小さくすることの可能な生体電極を提供する。【解決手段】基材１の反人体側の面に不織布２が設けられる。基材１の人体側の面に導電体３が設けられる。導電体３の人体側の面に絶縁体４が設けられる。受信体６は、絶縁体４の人体側の面に設けられる。含水ゲル９を染み込ませたスポンジ８は、受信体６の人体側に設けられる。スポンジ８と受信体６との接着は両面接着テープ７が行う。アースゲル５は、導電体３の人体側の面であって絶縁体４とは異なる位置に設けられる。使用の際には、カバー１０を取り外し、含水ゲル９の染み込んだスポンジ８を人体の所定部位に接触させ、絶縁体４とアースゲル５を人体に接着する。【選択図】図１
2013236922.tif 000002
【特許請求の範囲】
【請求項１】
基材と、
前記基材の人体側の面に設けられた導電体と、
前記導電体の人体側の面に設けられた、人体側の面に粘着性を有する絶縁体と、
前記絶縁体の人体側の面に設けられた、生体信号を受信する受信体と、
前記受信体の人体側に設けられた、含水ゲルを含むスポンジと、
前記導電体の人体側の面であって前記絶縁体とは異なる位置に設けられ、前記導電体と人体とを電気的に接続するアースゲルとを備え、
前記受信体と前記スポンジから外部に生体信号を取り出すことを特徴とする、生体電極。
【請求項２】
前記含水ゲルは水分を６０重量％以上含む請求項１に記載の生体電極。
【請求項３】
前記アースゲルが粘着ゲルである請求項１又は２に記載の生体電極。
【請求項４】
前記アースゲルが複数設けられて前記絶縁体を挟む配置である請求項１から３のいずれか一項に記載の生体電極。
【請求項５】
前記基材が不織布である請求項１から４のいずれか一項に記載の生体電極。
【請求項６】
前記基材が樹脂フィルムであり、前記基材の反人体側の面に不織布が設けられている、請求項１から５のいずれか一項に記載の生体電極。
【請求項７】
前記不織布がポリプロピレン不織布である請求項５又は６に記載の生体電極。
【請求項８】
前記スポンジの反人体側の面に接着されて当該面の中央部を囲む環状の両面テープが前記スポンジと前記受信体とを接着している請求項１から７のいずれか一項に記載の生体電極。
【請求項９】
Ｘ線を透過する材料で構成され、かつ前記受信体と外部装置との接続にカーボン線を使用し、Ｘ線透過型であることを特徴とする、請求項１から８のいずれか一項に記載の生体電極。
【請求項１０】
未使用時に人体側を覆うカバーを備え、前記カバーに対面する一部であって前記スポンジを除く一部に粘着性の無い部分が設けられている、請求項１から９のいずれか一項に記載の生体電極。
【請求項１１】
前記カバーは、樹脂製であって、前記絶縁体及び前記アースゲルとの接触部分にシリコーンが塗布されている、請求項１０に記載の生体電極。
【請求項１２】
基材と、
前記基材の人体側の面に設けられた導電体と、
前記導電体の人体側の面に設けられた、人体側の面に粘着性を有する絶縁体と、
前記絶縁体の人体側の面に設けられた、生体信号を受信する受信体と、
前記受信体の人体側に設けられた、含水ゲルを含むスポンジとを備え、
前記受信体は、前記スポンジの外側に延在し、この延在した部分をクリップで外部接続可能であることを特徴とする、生体電極。
【請求項１３】
前記基材と前記導電体とが反人体側に折り返されて前記導電体の一部が反人体側の表面に露出し、前記導電体の前記一部をクリップで外部接続可能である、請求項１２に記載の生体電極。
【請求項１４】
前記受信体と前記導電体は、クリップで外部接続される部分が基材面垂直方向から見て互いに略同一位置にあって略同一形状である、請求項１３に記載の生体電極。
【請求項１５】
基材と、
前記基材の人体側の面に設けられた、生体信号を受信する受信体と、
前記基材の反人体側の面に設けられた導電層と、
前記基材の人体側の面に設けられ、前記受信体と導通する導電ゲルと、
前記基材の人体側の面の、前記導電ゲルとは異なる位置に設けられ、人体と導通するアースゲルとを備える、生体電極。
【請求項１６】
前記アースゲルが複数設けられて前記導電ゲルを挟む配置である請求項１５に記載の生体電極。
【請求項１７】
前記導電層と前記アースゲルとが相互に導通している請求項１５又は１６に記載の生体電極。
【請求項１８】
前記基材に設けられた孔によって前記導電層と前記アースゲルとが相互に導通する請求項１７に記載の生体電極。
【請求項１９】
前記基材の折返しによって前記導電層と前記アースゲルとが相互に導通する請求項１７に記載の生体電極。
【請求項２０】
前記基材の反人体側の面に帯電防止処理した不織布が設けられている請求項１５から１９のいずれか一項に記載の生体電極。
【請求項２１】
前記アースゲルが粘着ゲルである請求項１５から２０のいずれか一項に記載の生体電極。
【請求項２２】
Ｘ線を透過する材料で構成されている請求項１５から２１のいずれか一項に記載の生体電極。
【請求項２３】
前記受信体が外部に延長してリード部を成す請求項１５から２２のいずれか一項に記載の生体電極。
【発明の詳細な説明】
【技術分野】
【０００１】
本発明は、生体信号を取得するための生体電極に関する。
【背景技術】
【０００２】
衣類の摩擦による静電気などのノイズを防ぐために、生体電極の上部の少なくとも生体信号導出部位（導電ゲル）を覆う様に生体電極用シールドを固定することが従来から知られている（下記特許文献１）。この生体電極用シールドは、生体電極の導電ゲルを覆う様に導電層が形成された絶縁性のシート部材と、導電層に電気的接続状態で形成された粘着性導電ゲルとを有し、粘着性導電ゲルにより導電層は人体と同電位になり被測定部より生体電気を誘導する電極部分への外部のノイズの影響が減衰されるとしている。
【先行技術文献】
【特許文献】
【０００３】
【特許文献１】登録実用新案第３０２０９５３号公報
【発明の概要】
【発明が解決しようとする課題】
【０００４】
特許文献１では、生体電極とシールドとが実質的に別部材であり、生体電極に対してシールドを固定することが必要なため、手間とコストがかかるという問題がある。
【０００５】
本発明はこうした状況を認識してなされたものであり、その目的は、静電気等のノイズ防止のために別途シールドを固定する必要がない生体電極を提供することにある。
【課題を解決するための手段】
【０００６】
本発明のある態様は、生体電極である。この生体電極は、
基材と、
前記基材の人体側の面に設けられた導電体と、
前記導電体の人体側の面に設けられた、人体側の面に粘着性を有する絶縁体と、
前記絶縁体の人体側の面に設けられた、生体信号を受信する受信体と、
前記受信体の人体側に設けられた、含水ゲルを含むスポンジと、
前記導電体の人体側の面であって前記絶縁体とは異なる位置に設けられ、前記導電体と人体とを電気的に接続するアースゲルとを備え、
前記受信体と前記スポンジから外部に生体信号を取り出すことを特徴とする。
【０００７】
前記含水ゲルは水分を６０重量％以上含んでもよい。
【０００８】
前記アースゲルが粘着ゲルであってもよい。
【０００９】
前記アースゲルが複数設けられて前記絶縁体を挟む配置であってもよい。
【００１０】
前記基材が不織布であってもよい。
【００１１】
前記基材が樹脂フィルムであり、前記基材の反人体側の面に不織布が設けられていてもよい。
【００１２】
前記不織布がポリプロピレン不織布であってもよい。
【００１３】
前記スポンジの反人体側の面に接着されて当該面の中央部を囲む環状の両面テープが前記スポンジと前記受信体とを接着していてもよい。
【００１４】
Ｘ線を透過する材料で構成され、かつ前記受信体と外部装置との接続にカーボン線を使用し、Ｘ線透過型であってもよい。
【００１５】
未使用時に人体側を覆うカバーを備え、前記カバーに対面する一部であって前記スポンジを除く一部に粘着性の無い部分が設けられていてもよい。
【００１６】
前記カバーは、樹脂製であって、前記絶縁体及び前記アースゲルとの接触部分にシリコーンが塗布されていてもよい。
【００１７】
本発明のもう一つの態様は、生体電極である。この生体電極は、
基材と、
前記基材の人体側の面に設けられた導電体と、
前記導電体の人体側の面に設けられた、人体側の面に粘着性を有する絶縁体と、
前記絶縁体の人体側の面に設けられた、生体信号を受信する受信体と、
前記受信体の人体側に設けられた、含水ゲルを含むスポンジとを備え、
前記受信体は、前記スポンジの外側に延在し、この延在した部分をクリップで外部接続可能であることを特徴とする。
【００１８】
前記基材と前記導電体とが反人体側に折り返されて前記導電体の一部が反人体側の表面に露出し、前記導電体の前記一部をクリップで外部接続可能であってもよい。
【００１９】
前記受信体と前記導電体は、クリップで外部接続される部分が基材面垂直方向から見て互いに略同一位置にあって略同一形状であってもよい。
【００２０】
本発明のもう一つの態様は、生体電極である。この生体電極は、
基材と、
前記基材の人体側の面に設けられた、生体信号を受信する受信体と、
前記基材の反人体側の面に設けられた導電層と、
前記基材の人体側の面に設けられ、前記受信体と導通する導電ゲルと、
前記基材の人体側の面の、前記導電ゲルとは異なる位置に設けられ、人体と導通するアースゲルとを備える。
【００２１】
本態様において、前記アースゲルが複数設けられて前記導電ゲルを挟む配置であってもよい。
【００２２】
前記導電層と前記アースゲルとが相互に導通していてもよい。
【００２３】
前記基材に設けられた孔によって前記導電層と前記アースゲルとが相互に導通してもよい。
【００２４】
前記基材の折返しによって前記導電層と前記アースゲルとが相互に導通してもよい。
【００２５】
前記基材の反人体側の面に帯電防止処理した不織布が設けられていてもよい。
【００２６】
前記アースゲルが粘着ゲルであってもよい。
【００２７】
前記生体電極はＸ線を透過する材料で構成されていてもよい。
【００２８】
前記受信体が外部に延長してリード部を成してもよい。
【００２９】
なお、以上の構成要素の任意の組合せ、本発明の表現を方法やシステムなどの間で変換したものもまた、本発明の態様として有効である。
【発明の効果】
【００３０】
本発明によれば、静電気等のノイズ防止のために別途シールド用シートやテープ等を固定する必要がない生体電極を提供できる。
【図面の簡単な説明】
【００３１】
【図１】本発明の実施の形態１に係る生体電極１００の斜視図。
【図２】生体電極１００の分解斜視図。
【図３】生体電極１００の分解側面図。
【図４】生体電極１００の両面接着テープ７の平面図。
【図５】本発明の実施の形態２に係る生体電極の分解斜視図。
【図６】本発明の実施の形態３に係る生体電極の一部分解上方斜視図。
【図７】同生体電極の一部分解下方斜視図。
【図８】同生体電極の一部分解側面図。
【図９】本発明の実施の形態４に係る生体電極の分解斜視図。
【図１０】同生体電極の断面図。
【図１１】本発明の実施の形態５に係る生体電極の分解斜視図。
【図１２】本発明の実施の形態６に係る生体電極の分解斜視図。
【図１３】同生体電極の短手方向の断面図。
【図１４】本発明の実施の形態７に係る生体電極の分解斜視図。
【図１５】同生体電極の、導電ゲル９Ａを含む長手方向の断面図。
【図１６】同生体電極の、アースゲル５を含む長手方向の断面図。
【図１７】同生体電極の短手方向の断面図。
【図１８】本発明の実施の形態８に係る生体電極の分解斜視図。
【図１９】同生体電極の短手方向の断面図。
【図２０】本発明の実施の形態９に係る生体電極の分解斜視図。
【発明を実施するための形態】
【００３２】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００３３】
実施の形態１
図１は、本発明の実施の形態１に係る生体電極１００の斜視図である。図２は、生体電極１００の分解斜視図である。図３は、生体電極１００の分解側面図である。これら図において、人体側と反人体側（人体とは反対となる側）は矢印に示されるとおりである。
【００３４】
図１に示すように、生体電極１００は、電極ユニット２０と、未使用時に電極ユニット２０の人体側を覆うカバー１０と、電極ユニット２０及び図示しない外部装置を相互に電気的に接続するケーブル１１とを備える。ケーブル１１の一端は電極ユニット２０と接触し、他端には外部装置との接続用のコネクタ１２が設けられている。
【００３５】
図２,３に示すように、電極ユニット２０は、基材１と、不織布２と、導電体３と、絶縁体４と、アースゲル５と、受信体６と、両面接着テープ７と、スポンジ８と、含水ゲル９とを備える。
【００３６】
基材１は、ＰＥＴフィルムやＰＰフィルム等の樹脂フィルムである（ＰＥＴ：ポリエチレンテレフタレート、ＰＰ：ポリプロピレン）。不織布２は、例えばＰＰ不織布である。不織布２は、帯電防止処理をしたもの、例えば界面活性剤、保湿剤、親水剤、及び導電剤のいずれかを含浸し又は塗布したものが好ましい。導電体３は、例えば導電性インクであって基材１に印刷等により塗布される。絶縁体４は、例えば生体粘着用（皮膚貼付用）両面粘着テープである。アースゲル５は、粘着性を有する導電ゲルである。受信体６は、ＰＥＴフィルム等の樹脂フィルムの人体側に銀−塩化銀を塗布したものである。含水ゲル９は、水分含有量が８０重量％で電気伝導のためにＣｌイオンを含んでいる。含水ゲル９の水分含有量は、人体（肌）とのインピーダンス低減の観点から６０重量％以上が望ましい。
【００３７】
基材１の反人体側の面に不織布２が設けられる（接着される）。不織布２は基材１の面垂直方向から見て基材１と略同形状である。基材１の人体側の面に導電体３が設けられる（全面的に塗布される）。導電体３の人体側の面に絶縁体４が設けられる（接着される）。絶縁体４は人体側の面にも粘着性を有する。受信体６は、絶縁体４の人体側の面に設けられる（絶縁体４の粘着力で接着される）。含水ゲル９は、単体では形が定まらないので、スポンジ８に染み込ませておく。含水ゲル９を染み込ませたスポンジ８は、受信体６の人体側に設けられる。スポンジ８と受信体６との接着は両面接着テープ７が行う。すなわち、両面接着テープ７は、スポンジ８の反人体側の面に接着されて当該面の中央部を囲む環状（ここではドーナツ状）であり、スポンジ８と受信体６とを接着する。両面接着テープ７は、好ましくはスポンジ８の反人体側の面の外周縁ないしその近傍を周回する。アースゲル５は、導電体３の人体側の面であって絶縁体４とは異なる位置に設けられる。
【００３８】
カバー１０は、平坦部１０ａと、平坦部１０ａから凹む凹部１０ｂとを有する。平坦部１０ａは、電極ユニット２０のうちスポンジ８を除く部分と対面する。凹部１０ｂは、スポンジ８を収容する。カバー１０は、樹脂製であって、電極ユニット２０との剥離性を良くするために電極ユニット２０との接触部分（絶縁体４及びアースゲル５との接触面）にシリコーン（離型剤）がコーティングされている。また、カバー１０と電極ユニット２０との剥離作業性を良くするために、電極ユニット２０のうちカバー１０に対面する一部であってスポンジ８を除く一部に粘着性の無い部分を設けている。具体的には、アースゲル５の絶縁体４とは反対側の外周縁が、基材１と不織布２と導電体３との積層体の外周縁よりも内側にある。このため、前記積層体はアースゲル５の前記外周縁よりも外側に延在しており、使用者はこの延在した部分を手で持って電極ユニット２０をカバー１０から容易に剥離可能である。なお、粘着性の無い部分は、絶縁体４の外周縁を内側に寄せることによって設けてもよい。
【００３９】
ケーブル１１は、カーボン線であり、端部が受信体６とスポンジ８との間に挟まれる。ケーブル１１の保持は両面接着テープ７による。このため、図４に示すように、両面接着テープ７は、中央孔の形状を例えばＤ型にして周の一部を幅広部７ａとし、幅広部７ａでケーブル１１を接着保持するとよい。
【００４０】
使用前には、生体電極１００は、防湿袋に入れて保管される。使用の際には、生体電極１００を防湿袋から取り出し、カバー１０を取り外し、含水ゲル９の染み込んだスポンジ８を人体の所定部位に接触させ、絶縁体４とアースゲル５を人体に接着する。すると、生体信号は含水ゲル９を伝わって受信体６で受信され、ケーブル１１を介して外部装置に送信される。一方、導電体３は、アースゲル５を介して人体と電気的に接続されて人体と同電位になっている。このため、導電体３が外部の静電気等のノイズに対するシールドとなり、生体信号にノイズが入ることを防止できる。
【００４１】
本実施の形態によれば、下記の効果を奏することができる。
【００４２】
(1) 含水ゲル９を染み込ませたスポンジ８及び受信体６並びにそれらの間に保持されたケーブル１１を含む生体信号取得用の構成と、アースゲル５及び導電体３を含むシールド用の構成とを、共通の基材１に対して形成した一体構造であるため、従来と異なり静電気等のノイズ防止のために別途シールドを固定する必要が無い。したがって、従来と比較してシールド固定の手間がなく、コスト安である。
【００４３】
(2) 生体信号取得用に水分を６０重量％以上含む含水ゲル９を染み込ませたスポンジ８を用いているため、従来のように粘着性の導電ゲルを用いる場合と異なり、導電性クリームなどを塗らなくても人体とのインピーダンスを小さくすることができる。したがって、導電性クリームやそれを塗る作業が不要で、従来と比較して手間とコストが低減される。
【００４４】
(3) 基材１が樹脂フィルムのため、導電体３としての導電性インクを均一に塗布でき、シールド効果が高い。
【００４５】
(4) 基材１の反人体側の面に不織布２を設けているため、不織布２が無い場合と比較して静電気の発生が小さくなり、ノイズが少なくなる。特に、医者や患者が着る手術服の材質はＰＰであることが多いため、不織布２をＰＰ不織布とすれば、静電気発生の防止効果が高い。
【００４６】
(5) スポンジ８と受信体６とを接着する両面接着テープ７をドーナツ状としているため、接着作業性がよく、またドーナツ状の内側の広い面積でスポンジ８と受信体６とが接触することになり生体信号の受信感度が高い。さらに、両面接着テープ７の幅広部７ａでケーブル１１を接着保持するため、ケーブル１１の保持強度が高い。
【００４７】
(6) カバー１０は樹脂製であって絶縁体４及びアースゲル５との接触面にシリコーンが塗布されているため、使用時にカバー１０を剥離しやすく（取り外しやすく）、カバー１０の剥離時における電極ユニットの変形が少なくなる。また、基材１と不織布２と導電体３との積層体がアースゲル５の絶縁体４とは反対側の外周縁よりも外側に延在しているため、使用者はこの延在した部分を手で持って電極ユニット２０をカバー１０から容易に剥離可能である。
【００４８】
(7) 電極ユニット２０は全てＸ線を透過する材料で構成され、かつ受信体６と外部装置とを接続するケーブル１１にカーボン線を使用しているため、生体電極１００はＸ線透過型となり、Ｘ線を透過しながら治療する用途にも適合する。
【００４９】
実施の形態２
図５は、本発明の実施の形態２に係る生体電極の分解斜視図である。本実施の形態の生体電極は、実施の形態１のものと比較して、絶縁体４が小さくなり、それにより空いたスペースにアースゲル５’が設けられている（アースゲルが複数設けられて絶縁体４を挟む配置である）点で相違し、その他の点は同様である。アースゲル５’は、受信体６の反人体側の面に延在している。本実施の形態によれば、アースゲル５,５’が相互に異なる位置で人体と接触して導電体３を確実かつ安定的に人体と同電位にするため、実施の形態１と比較して、更なるノイズ低減効果を奏することができる。
【００５０】
実施の形態３
図６は、本発明の実施の形態３に係る生体電極の一部分解上方斜視図である。図７は、同生体電極の一部分解下方斜視図である。図８は、同生体電極の一部分解側面図である。なお、これらの図においては、受信体６の樹脂フィルム６１（ＰＥＴフィルム等）及びそれに塗布された銀−塩化銀６２を別々に示している。本実施の形態の生体電極は、実施の形態１のものと異なり、図示しない外部装置との接続をクリップ等で行う構成としている。以下、相違点を中心に説明し、一致点についての説明は適宜省略する。
【００５１】
受信体６を成す樹脂フィルム６１及び銀−塩化銀６２はそれぞれ、スポンジ８の外側に同形状で延在した延在部６１ａ,６２ａを有する。基材１、不織布２及び導電体３はそれぞれ、折返し部１ａ，２ａ，３ａを有する。折返し部１ａ，２ａ，３ａは、基材１、不織布２及び導電体３の主面部より幅狭で当該主面部から外側に延び、反人体側に折り返されている。導電体３の折返し部３ａは、反人体側の表面に露出する。樹脂フィルム６１及び銀−塩化銀６２の延在部６１ａ,６２ａと、基材１、不織布２及び導電体３の折返し部１ａ，２ａ，３ａとは、基材１の面垂直方向から見て互いに略同一位置にあって略同一形状であり、これらをクリップで挟み込むことで、銀−塩化銀６２の延在部６２ａを外部装置の信号取得端子に接続し、導電体３の折返し部３ａを外部装置のアース端子に接続できる。なお、本実施の形態では、導電体３を外部装置のアース端子に接続するため、実施の形態１のアースゲル５は用いず、その分だけ絶縁体４を大きなものとしている。カバー１０との剥離性を考えて絶縁体４の外周縁を基材１、不織布２及び導電体３の外周縁よりも内側としてもよい。本実施の形態によれば、クリップ接続のためＸ線透過型にならない点を除き、実施の形態１と同様の作用効果を奏することができる。
【００５２】
実施の形態４
図９は、本発明の実施の形態４に係る生体電極の分解斜視図である。図１０は、同生体電極の断面図である。この生体電極は、本体部１０１と、接続部１０２とを備える。本体部１０１は、人体に接着されて（貼り付けられて）生体信号を取得する部分である。接続部１０２はクリップに挟持されて外部の測定装置に接続される部分である。接続部１０２にはクリップとの位置合わせ用のガイド孔１０２Ａが設けられる。この生体電極において、基材１の反人体側の面には導電層１Ａが設けられる。すなわち、基材１は、反人体側の面に帯電防止処理が施されたもの、例えば界面活性剤、保湿剤、親水剤、又は導電剤のいずれかの導電材料を含浸し又は塗布して導電層１Ａとしたものである。基材１の人体側の面には受信体を成す銀−塩化銀６Ａが設けられる（塗布される）。基材１の人体側の面には、銀−塩化銀６Ａを覆うように導電ゲル９Ａが設けられる。導電ゲル９Ａは、導電性を有する粘着ゲルである。基材１の人体側の面の、導電ゲル９Ａとは異なる位置には、アースゲル５が設けられる。アースゲル５は、導電性を有する粘着ゲルである。本実施の形態によれば、従来と異なり静電気等のノイズ防止のために別途シールドを固定する必要が無いため、シールド固定の手間がなくコスト安である。また、全てＸ線を透過する材料で構成できるため、Ｘ線を透過しながら治療する用途にも適合する。
【００５３】
実施の形態５
図１１は、本発明の実施の形態５に係る生体電極の分解斜視図である。この生体電極は、図９及び図１０に示した実施の形態４のものと比較して、基材１の反人体側の面（導電層１Ａの反人体側の面）にＰＰ不織布等の不織布２が設けられている点で相違し、その他の点で一致する。不織布２は、帯電防止処理（導電処理）をしたもの、例えば界面活性剤、保湿剤、親水剤、及び導電剤のいずれかを含浸し又は塗布したものが好ましい。本実施の形態によれば、不織布２によりノイズ防止効果が更に高められる。
【００５４】
実施の形態６
図１２は、本発明の実施の形態６に係る生体電極の分解斜視図である。図１３は、同生体電極の短手方向の断面図である。この生体電極は、図１１に示した実施の形態５のものと比較して、基材１に貫通孔１Ｂが設けられている点で相違し、その他の点で一致する。貫通孔１Ｂは好ましくは多数個設けられる。貫通孔１Ｂは、基材１の反人体側の面に処理された導電層１Ａとアースゲル５とを導通させる目的で設けられる。貫通孔１Ｂは、多数の針形状を有する金型によりあけられ、バリもしくは、バーリング形状によって基材１の導電層１Ａをアースゲル５内に潜り込ませ、アースゲル５と導通させる。この場合、針の形状をアースゲル５が保持しやすい構造にすることによって、アースゲル５を基材１の導電層１Ａまで引き上げ、導通させることが可能となる。金型の針は少なくともアースゲル５に達する位置まで差し込まれる。基材１の孔あけは、アースゲル５を貼り付ける前に行っても良く、張り合わせ後に基材１とアースゲル５とが導通していれば良い。本実施の形態によれば、基材１の反人体側の面に設けられた導電層１Ａがアースゲル５と導通するため、ノイズ低減効果が更に高められる。なお、本実施の形態において不織布２を省略してもよい。
【００５５】
実施の形態７
図１４は、本発明の実施の形態７に係る生体電極の分解斜視図である。図１５は、同生体電極の、導電ゲル９Ａを含む長手方向の断面図である。図１６は、同生体電極の、アースゲル５を含む長手方向の断面図である。図１７は、同生体電極の短手方向の断面図である。この生体電極は、図１１に示した実施の形態５のものと比較して、アースゲル５が左右２箇所に設けられ、間に導電ゲル９Ａを挟む配置である点で相違し、その他の点で一致する。本実施の形態によれば、２箇所のアースゲル５が相互に異なる位置で人体と接触するため、更なるノイズ低減効果を奏することができる。なお、本実施の形態において不織布２を省略してもよい。
【００５６】
実施の形態８
図１８は、本発明の実施の形態８に係る生体電極の分解斜視図である。図１９は、同生体電極の短手方向の断面図である。この生体電極は、図１４から図１７に示した実施の形態７のものと比較して、基材１を両端部でアースゲル５側に折り返すことで基材１の導電層１Ａとアースゲル５とを導通させている点で相違し、その他の点で一致する。なお、基材１の折返しは片側の端部のみでもよい。本実施の形態によれば、基材１の反人体側の面に設けられた導電層１Ａがアースゲル５と導通するため、ノイズ低減効果が更に高められる。
【００５７】
実施の形態９
図２０は、本発明の実施の形態９に係る生体電極の分解斜視図である。この生体電極は、図１１に示した実施の形態５のものと比較して、本体部１０１と接続部１０２の間にリード部１０３が設けられ、リード部１０３の人体側の面に不織布２Ａが設けられている（接着されている）点で相違し、その他の点で一致する。本体部１０１のうちアースゲル５及び導電ゲル９Ａ以外の各層はリード部１０３として延長され、リード部１０３の先端がクリップに挟持されて外部の測定装置に接続される接続部１０２となる。不織布２Ａは、好ましくはＰＰ不織布であり、帯電防止処理をしたもの、例えば、導電インクを含浸し又は塗布（印刷等）したものであるとよい。本実施の形態によれば、リード部１０３により接続部１０２を本体部１０１からより遠い位置まで引き出すことができる。また、リード部１０３の両面に不織布２,２Ａが設けられるため、リード部１０３からのノイズの進入を防止することができる。
【００５８】
以上、実施の形態を例に本発明を説明したが、実施の形態の各構成要素や各処理プロセスには請求項に記載の範囲で種々の変形が可能であることは当業者に理解されるところである。以下、変形例について触れる。
【００５９】
実施の形態１から３において、基材１は、樹脂フィルムに限らず、ＰＰ不織布等の不織布であってもよい。この場合、基材１の反人体側には不織布は設けない。導電体３としての導電性インクの塗布均一性に関しては基材１は樹脂フィルムであるほうが良いものの、その他の点では本変形例も実施の形態と同様の効果を得られる。
【符号の説明】
【００６０】
１  基材、１Ａ  導電層、１Ｂ  貫通孔、２  不織布、２Ａ  不織布、３  導電体、４  絶縁体、５  アースゲル、６  受信体、６Ａ  銀−塩化銀、６１  樹脂フィルム、６２  銀−塩化銀、７  両面テープ、７ａ  幅広部、８  スポンジ、９  含水ゲル、９Ａ  導電ゲル、１０  カバー、１０ａ  平坦部、１０ｂ  凹部、１１  ケーブル、１２  コネクタ、２０  電極ユニット、１００  生体電極、１０１  本体部、１０２  接続部、１０２Ａ  ガイド孔、１０３  リード部
【図２】
2013236922.tif 000003
【図３】
2013236922.tif 000004
【図４】
2013236922.tif 000005
【図５】
2013236922.tif 000006
【図６】
2013236922.tif 000007
【図７】
2013236922.tif 000008
【図８】
2013236922.tif 000009
【図１】
2013236922.tif 000010
【図９】
2013236922.tif 000011
【図１０】
2013236922.tif 000012
【図１１】
2013236922.tif 000013
【図１２】
2013236922.tif 000014
【図１３】
2013236922.tif 000015
【図１４】
2013236922.tif 000016
【図１５】
2013236922.tif 000017
【図１６】
2013236922.tif 000018
【図１７】
2013236922.tif 000019
【図１８】
2013236922.tif 000020
【図１９】
2013236922.tif 000021
【図２０】
2013236922.tif 000022